(57)【要約】【課題】煩わしい操作を不要としながら、特別なＩＦを用いることなく情報の送受を行うことが可能な情報送受システムを提供する。【解決手段】無線タグリーダ２０８が無線タグ１１５を検知していない場合、即ち、デジタルカメラ１０とダイビングコンピュータ２０とがある程度離れた位置にある場合、表示部２０１には、タイマ２０５からのダイビングタイム情報、温度センサ２０６からの水温情報、深度センサ２０７からの深度情報等の各種情報が表示されている。デジタルカメラ１０とダイビングコンピュータ２０が近づき、無線タグリーダ２０８によって無線タグ１１５が検知されると、表示部２０１には、各種情報を変換して得られるＱＲコードが表示された状態となる。表示部２０１に表示されたＱＲコードを撮像部１０１によって撮影し、ＱＲデコーダ１０５でデコードすることで、ダイビングコンピュータ２０からデジタルカメラ１０へ各種情報が送信される。【選択図】図１
2006086926.tif 000002
【特許請求の範囲】
【請求項１】
表示部を有する第１の携帯端末と、２次元コードを読み取り可能な読み取り手段及び読み取られた前記２次元コードから情報を復元する情報復元手段を有する第２の携帯端末とを含み、前記表示部に表示される２次元コードを前記読み取り手段によって読み取ることで、前記第１の携帯端末と前記第２の携帯端末の間で情報を送受可能な情報送受システムであって、
前記第１の携帯端末は、前記表示部に表示させる情報の少なくとも一部を２次元コードに変換する変換手段と、前記表示部に前記情報のみを表示させる第１の状態と前記表示部に前記情報の少なくとも一部から変換された２次元コードを少なくとも表示させる第２の状態とを選択的に切り替える切替手段と、無線タグリーダとを備え、
前記第２の携帯端末は、無線タグを備え、
前記無線タグリーダは、前記無線タグを検知した場合に、検知信号を前記切替手段に出力し、
前記切替手段は、前記検知信号が出力された場合に、前記第１の状態から前記第２の状態に切り替える情報送受システム。
【請求項２】
請求項１記載の情報送受システムであって、
前記切替手段は、前記検知信号が出力されなくなった場合、前記第２の状態から前記第１の状態に切り替える情報送受システム。
【請求項３】
請求項１又は２記載の情報送受システムであって、
前記情報が自動的に変化するものであり、
前記切替手段は、前記表示部に表示させる２次元コードを、当該表示させる期間中、前記検知信号が出力された時点における前記情報の少なくとも一部から変換された２次元コードに固定する情報送受システム。
【請求項４】
請求項１〜３のいずれか記載の情報送受システムであって、
前記読み取り手段は、撮像素子によって前記２次元コードを読み取るものであり、
前記第２の携帯端末は、前記２次元コードから復元した情報を、前記撮像素子による撮像によって得られた撮影画像データに対応付けて記録する記録手段を備える情報送受システム。
【請求項５】
無線タグを有する受信側携帯端末に情報を送信可能な携帯端末であって、
表示部と、
前記表示部に表示させる情報の少なくとも一部を２次元コードに変換する変換手段と、
前記表示部に前記情報のみを表示させる第１の状態と前記表示部に前記情報の少なくとも一部から変換された２次元コードを少なくとも表示させる第２の状態とを選択的に切り替える切替手段と、
無線タグリーダとを備え、
前記無線タグリーダは、前記無線タグを検知した場合に、検知信号を前記切替手段に出力し、
前記切替手段は、前記検知信号が出力された場合に、前記第１の状態から前記第２の状態に切り替える携帯端末。
【請求項６】
請求項５記載の携帯端末であって、
前記切替手段は、前記無線タグリーダから前記検知信号が出力されなくなった場合、前記第２の状態から前記第１の状態に切り替える携帯端末。
【請求項７】
請求項５又は６記載の携帯端末であって、
前記情報が自動的に変化するものであり、
前記切替手段は、前記表示部に表示させる２次元コードを、当該表示させる期間中、前記検知信号が出力された時点における前記情報の少なくとも一部から変換された２次元コードに固定する携帯端末。
【請求項８】
表示部を有する送信側携帯端末から情報を受信可能な携帯端末であって、
２次元コードを読み取り可能な読み取り手段と、
前記読み取り手段によって読み取られた２次元コードから情報を復元する情報復元手段と、
前記表示部に２次元コードを表示させるトリガを与えるための無線タグとを備える携帯端末。
【請求項９】
請求項８記載の携帯端末であって、
前記読み取り手段は、撮像素子によって前記２次元コードを読み取るものであり、
前記２次元コードから復元した情報を、前記撮像素子による撮像によって得られた撮影画像データに対応付けて記録する記録手段を備える携帯端末。
【発明の詳細な説明】
【技術分野】
【０００１】
本発明は、表示部を有する第１の携帯端末と、２次元コードを読み取り可能な読み取り手段及び読み取られた前記２次元コードから情報を復元する情報復元手段を有する第２の携帯端末とを含み、前記表示部に表示される２次元コードを前記読み取り手段によって読み取ることで、前記第１の携帯端末と前記第２の携帯端末の間で情報を送受可能な情報送受システムに関する。
【背景技術】
【０００２】
従来、有線又は無線の通信インターフェース（ＩＦ）を用いることなく、携帯端末同士で情報の送受を行うことが可能なシステムが提案されている（例えば特許文献１参照）。このシステムは、情報の送信側の携帯端末と情報の受信側の携帯端末とから構成される。情報の送信側の携帯端末では、ユーザが入力して作成した文章を、ユーザからのボタン操作に基づく指示によってＱＲコードに変換し、このＱＲコードを表示部において表示する。受信側の携帯端末では、送信側の携帯端末の表示部に表示されたＱＲコードを、カメラ等によって撮影して読み取り、読み取ったＱＲコードから文章を復元する。このようにすることで情報の送受を可能としている。
【０００３】
【特許文献１】特開２００４−１４７００６号公報
【発明の開示】
【発明が解決しようとする課題】
【０００４】
上記システムでは、送信側の携帯端末において文章をＱＲコードに変換させるために、ボタン操作を行って変換指示を出さなくてはならず、その操作が煩わしい。
【０００５】
本発明は、上記事情に鑑みてなされたものであり、煩わしい操作を不要としながら、特別なＩＦを用いることなく情報の送受を行うことが可能な情報送受システムを提供することを目的とする。
【課題を解決するための手段】
【０００６】
本発明の情報送受システムは、表示部を有する第１の携帯端末と、２次元コードを読み取り可能な読み取り手段及び読み取られた前記２次元コードから情報を復元する情報復元手段を有する第２の携帯端末とを含み、前記表示部に表示される２次元コードを前記読み取り手段によって読み取ることで、前記第１の携帯端末と前記第２の携帯端末の間で情報を送受可能な情報送受システムであって、前記第１の携帯端末は、前記表示部に表示させる情報の少なくとも一部を２次元コードに変換する変換手段と、前記表示部に前記情報のみを表示させる第１の状態と前記表示部に前記情報の少なくとも一部から変換された２次元コードを少なくとも表示させる第２の状態とを選択的に切り替える切替手段と、無線タグリーダとを備え、前記第２の携帯端末は、無線タグを備え、前記無線タグリーダは、前記無線タグを検知した場合に、検知信号を前記切替手段に出力し、前記切替手段は、前記検知信号が出力された場合に、前記第１の状態から前記第２の状態に切り替える。
【０００７】
この構成により、第２の携帯端末を第１の携帯端末に近づけると、表示部に表示されていた情報の少なくとも一部を変換した２次元コードが表示部に表示されるため、この２次元コードを読み取り手段によって読み取ることで、第１の携帯端末から第２の携帯端末に情報の少なくとも一部を送信することできる。したがって、表示部に２次元コードを表示させるためのボタン操作等を不要としながら、特別なＩＦを用いることなく情報の送受を行うことが可能となる。
【０００８】
本発明の情報送受システムは、前記切替手段が、前記検知信号が出力されなくなった場合、前記第２の状態から前記第１の状態に切り替える。
【０００９】
この構成により、第２の携帯端末を第１の携帯端末から遠ざけるだけで、表示内容を通常の表示に切り替えることができる。このため、煩わしい操作を行うことなく、表示内容を元に戻すことができる。
【００１０】
本発明の情報送受システムは、前記情報が自動的に変化するものであり、前記切替手段は、前記表示部に表示させる２次元コードを、当該表示させる期間中、前記検知信号が出力された時点における前記情報の少なくとも一部から変換された２次元コードに固定する。
【００１１】
この構成により、例えば、ダイビングコンピュータ等のように、表示部に表示される情報が環境によって自動的に変化する場合でも、第２の携帯端末を第１の携帯端末に近づけた時点における情報を変換した２次元コードが表示部に表示され続けるため、２次元コードの読み取りを良好に行うことができると共に、第２の携帯端末のユーザの望んだ時点での情報を、第１の携帯端末から受信することができる。
【００１２】
本発明の情報送受システムは、前記読み取り手段が、撮像素子によって前記２次元コードを読み取るものであり、前記第２の携帯端末は、前記２次元コードから復元した情報を、前記撮像素子による撮像によって得られた撮影画像データに対応付けて記録する記録手段を備える。
【００１３】
この構成により、例えば、第１の携帯端末がダイビングコンピュータであった場合、撮影画像データに、撮影時点での深度、水温、及びタイブタイム等の各種情報を対応付けることができ、撮影画像データの管理に役立てることができる。
【００１４】
本発明の携帯端末は、無線タグを有する受信側携帯端末に情報を送信可能な携帯端末であって、表示部と、前記表示部に表示させる情報の少なくとも一部を２次元コードに変換する変換手段と、前記表示部に前記情報のみを表示させる第１の状態と前記表示部に前記情報の少なくとも一部から変換された２次元コードを少なくとも表示させる第２の状態とを選択的に切り替える切替手段と、無線タグリーダとを備え、前記無線タグリーダは、前記無線タグを検知した場合に、検知信号を前記切替手段に出力し、前記切替手段は、前記検知信号が出力された場合に、前記第１の状態から前記第２の状態に切り替える。
【００１５】
本発明の携帯端末は、前記切替手段が、前記無線タグリーダから前記検知信号が出力されなくなった場合、前記第２の状態から前記第１の状態に切り替える。
【００１６】
本発明の携帯端末は、前記情報が自動的に変化するものであり、前記切替手段は、前記表示部に表示させる２次元コードを、当該表示させる期間中、前記検知信号が出力された時点における前記情報の少なくとも一部から変換された２次元コードに固定する。
【００１７】
本発明の携帯端末は、表示部を有する送信側携帯端末から情報を受信可能な携帯端末であって、２次元コードを読み取り可能な読み取り手段と、前記読み取り手段によって読み取られた２次元コードから情報を復元する情報復元手段と、前記表示部に２次元コードを表示させるトリガを与えるための無線タグとを備える。
【００１８】
本発明の携帯端末は、前記読み取り手段が、撮像素子によって前記２次元コードを読み取るものであり、前記２次元コードから復元した情報を、前記撮像素子による撮像によって得られた撮影画像データに対応付けて記録する記録手段を備える。
【発明の効果】
【００１９】
本発明によれば、煩わしい操作を不要としながら、特別なＩＦを用いることなく情報の送受を行うことが可能な情報送受システムを提供することができる。
【発明を実施するための最良の形態】
【００２０】
以下、本発明の実施形態について図面を参照して説明する。
【００２１】
図１は、本発明の実施形態を説明するための情報送受システムの概略構成を示す図である。
図１に示すように、情報送受システム１００は、第１の携帯端末の一例としてのダイビングコンピュータ２０と、第２の携帯端末の一例としてのデジタルカメラ１０とを備える。
【００２２】
ダイビングコンピュータ２０は、表示部２０１と、切替部２０２（特許請求の範囲の切替手段に該当）と、ＱＲエンコーダ２０３（特許請求の範囲の変換手段に該当）と、制御部２０４と、ダイビングタイムをカウントするタイマ２０５と、温度センサ２０６と、深度センサ２０７と、無線タグリーダ２０８とを備える。タイマ２０５でカウントされたダイビングタイム情報、温度センサ２０６で検知された温度情報、深度センサ２０７で検知された深度情報等の表示部２０１に表示すべき各種情報（特許請求の範囲の情報に該当）は、制御部２０４に入力される。
【００２３】
ＱＲエンコーダ２０３は、制御部２０４から出力される各種情報を２次元コード（ＱＲコード）に変換する。尚、ＱＲエンコーダ２０３は、各種情報の全てをＱＲコードに変換しなくても良く、例えば、ユーザにより指定された各種情報の一部のみをＱＲコードに変換するようにしても良い。
【００２４】
表示部２０１は、ＬＣＤ表示器等で構成され、切替部２０２から出力される各種情報又はその各種情報から変換されたＱＲコードを表示する。
【００２５】
無線タグリーダ２０８は、デジタルカメラ１０に設けられた無線タグ１１５を検知したときのみ、その旨を示す検知信号を切替部２０２に出力する。
【００２６】
切替部２０２は、ＱＲエンコーダ２０３で変換後のＱＲコードと、制御部２０４からの各種情報とのどちらかを表示部２０１に出力して、表示部２０１に各種情報のみを表示させる第１の状態と、表示部２０１にＱＲコードを表示させる第２の状態とを選択的に切り替える。切替部２０２は、無線タグリーダ２０８からの検知信号の有無に応じて、第１の状態と第２の状態とを切り替える。例えば、無線タグリーダ２０８から検知信号が出力されている間は第２の状態とし、無線タグリーダ２０８から検知信号が出力されていない間は第１の状態にする。
【００２７】
尚、切替部２０２は、表示部２０１にＱＲコードを表示させる場合、ＱＲコードのみを表示させても良いし、ＱＲコードとその元データとなる各種情報とを重ねて表示させても良い。この場合、切替部２０２は、第２の状態にする際、ＱＲエンコーダ２０３からのＱＲコードと制御部２０４からの各種情報の双方を表示部２０１に出力すれば良い。
【００２８】
制御部２０４は、各部を統括制御すると共に、タイマ２０５、温度センサ２０６、及び深度センサ２０７から入力された各種情報を、ＱＲエンコーダ２０３及び切替部２０２に入力する。
【００２９】
デジタルカメラ１０は、撮像部１０１（特許請求の範囲の読み取り手段に該当）と、アナログ信号処理部１０２と、Ａ／Ｄ変換部１０３と、駆動部１０４と、ＱＲデコーダ１０５（特許請求の範囲の情報復元手段に該当）と、デジタル信号処理部１０６と、圧縮／伸張処理部１０７と、表示部１０８と、システム制御部１０９（特許請求の範囲の記録手段に該当）と、内部メモリ１１０と、メディアインタフェース１１１と、記録メディア１１２と、操作部１１３と、無線タグ１１５とを備える。ＱＲデコーダ１０５、デジタル信号処理部１０６、圧縮／伸張処理部１０７、表示部１０８、システム制御部１０９、内部メモリ１１０、及びメディアインタフェース１１１は、システムバス１１４に接続されている。
【００３０】
撮像部１０１は、撮影レンズ等の光学系及びＣＣＤイメージセンサ等の撮像素子によって被写体の撮影を行うものであり、アナログの撮像信号を出力する。撮像部１０１は、ＱＲコードを撮影して読み取ることが可能である。
【００３１】
アナログ信号処理部１０２は、撮像部１０１で得られた撮像信号に所定のアナログ信号処理を施す。Ａ／Ｄ変換部１０３は、アナログ信号処理部１０２で処理後のアナログ信号をデジタル信号に変換する。
【００３２】
撮影に際しては、駆動部１０４を介して光学系の制御が行われる。撮像素子は、操作部１１３の一部であるレリーズボタン（図示せず）の操作によるレリーズスイッチ（図示せず）オンを契機として、所定のタイミングで、駆動部１０４に含まれるタイミングジェネレータからの駆動信号によって駆動される。駆動部１０４は、システム制御部１０９によって所定の駆動信号を出力する。
【００３３】
デジタル信号処理部１０６は、Ａ／Ｄ変換部１０３からのデジタル画像データに対して、操作部１１３によって設定された動作モードに応じたデジタル信号処理を行う。
【００３４】
圧縮／伸張処理部１０７は、デジタル信号処理部１０６で得られたＹ／Ｃデータに対して圧縮処理を施すとともに、記録メディア１１２から得られた圧縮画像データに対して伸張処理を施す。
【００３５】
表示部１０８は、例えばＬＣＤ表示器を含んで構成され、撮影されてデジタル信号処理を経た画像データに基づく画像を表示する。記録メディアに記録された圧縮画像データを伸張処理して得た画像データに基づく画像の表示も行う。また、撮影時のスルー画像、デジタルカメラの各種状態、操作に関する情報の表示等も可能である。
【００３６】
内部メモリ１１０は、例えばＤＲＡＭであり、デジタル信号処理部１０６やシステム制御部１０９のワークメモリとして利用される他、記録メディアに１１２に記録される撮影画像データを一時的に記憶するバッファメモリや表示部１０８への表示画像データのバッファメモリとしても利用される。メディアインタフェース１１１は、メモリカード等の記録メディア１１２との間のデータの入出力を行うものである。
【００３７】
操作部１１３は、デジタルカメラ使用時の各種操作を行うものである。
【００３８】
ＱＲデコーダ１０５は、システム制御部１０９の制御により、撮像部１０１によって読み取られたＱＲコードをデコードして、ＱＲコードから各種情報を復元する。
【００３９】
システム制御部１０９は、所定のプログラムによって動作するプロセッサを主体に構成され、撮影動作を含むデジタルカメラ全体の制御を行う。システム制御部１０９は、ＱＲデコーダ１０５によって復元された各種情報を、記録メディア１１２に記録されている撮影画像データに対応付けて、記録メディア１１２に記録する。
【００４０】
無線タグ１１５は、ダイビングコンピュータ２０の表示部２０１にＱＲコードを表示させるトリガを与えるためのものであるため、特別な機能は持っておらず、例えば、デジタルカメラ１０のＩＤ等のわずかな情報のみが記憶されている。無線タグ１１５は、デジタルカメラ１０の本体の表面又は内部であればどこに設けてあっても良い。
【００４１】
図２は、図１に示すダイビングコンピュータの表示部２０１の表示画面の遷移状態を示す図である。
無線タグリーダ２０８が無線タグ１１５を検知していない場合、即ち、デジタルカメラ１０とダイビングコンピュータ２０とがある程度離れた位置にある場合、切替部２０２は制御部２０４から送られてくる各種情報のみを表示部２０１に出力する。このため、表示部２０１は、図２の左に示すように水温情報２１、深度情報２２、及びダイビングタイム情報２３等の各種情報のみが表示された状態となっている。
デジタルカメラ１０とダイビングコンピュータ２０とが近づき、無線タグリーダ２０８によって無線タグ１１５が検知されると、切替部２０２はＱＲエンコーダ２０３からのＱＲコードを表示部２０１に出力する。このため、表示部２０１の表示画面は図２の右に示すように遷移し、各種情報から変換されたＱＲコード２４のみが表示された状態となる。又は、表示部２０１の表示画面は図２の右下に示すように遷移し、各種情報にＱＲコード２４が重ねて表示された状態となる。
更に、デジタルカメラ１０とダイビングコンピュータ２０とが離れ、無線タグリーダ２０８によって無線タグ１１５が検知されなくなると、切替部２０２は制御部２０４から送られてくる各種情報のみを表示部２０１に出力する。このため、表示部２０１の画面は、図２の右に示す状態から図２の左に示す状態に戻る。
【００４２】
このように、本実施形態によれば、デジタルカメラ１０とダイビングコンピュータ２０を近づけるだけで、ダイビングコンピュータ２０の表示部２０１の表示内容を各種情報からＱＲコードに切り替えることができ、デジタルカメラ１０によってＱＲコードを撮影し、それをデコードして各種情報を復元することができる。このため、煩わしい操作を行うことなく、ダイビングコンピュータ２０から各種情報を受信することができる。ＱＲコードを撮影するためには、ダイビングコンピュータ２０の表示部２０１とデジタルカメラ１０の撮像部１０１とを十分に近づける必要があるため、デジタルカメラ１０とダイビングコンピュータ２０を近づけるという行為は無駄ではなく、自然な流れでダイビングコンピュータ２０から各種情報を取得することができる。
【００４３】
又、本実施形態によれば、デジタルカメラ１０とダイビングコンピュータ２０とを遠ざけるだけで、ダイビングコンピュータ２０の表示部２０１の表示内容をＱＲコードから各種情報に戻すことができる。このため、ＱＲコードから各種情報へ表示を戻すために特別な操作を行う必要がなく、使い勝手が良い。ＱＲコードを表示部２０１に表示させておく時間をタイマ等によって決めておいても良いが、これだと、ＱＲコードの撮影には時間がかかることもあり、撮影が終了する前にＱＲコードが消えてしまうといった恐れがある。ところが、本実施形態によれば、撮影が終了するまでＱＲコードを表示させておくことができるため、上記のような不具合は生じない。
【００４４】
又、本実施形態によれば、ダイビングコンピュータ２０からデジタルカメラ１０への各種情報の送信を、特別な通信ＩＦを用いることなく実現することができるため、ダイビングコンピュータ２０及びデジタルカメラ１０の製造コストを抑えることができる。又、表示部２０１の表示の切り替えは、無線タグリーダ２０８と無線タグ１１５とによって実現しているが、無線タグ１１５は安価であると共に、電源が不要であるため、デジタルカメラ１０の製造コストアップ、電池寿命の低下等を防ぐことができるという効果が得られる。
【００４５】
又、本実施形態のデジタルカメラは、現行のデジタルカメラに、ＱＲコードをデコードする機能と無線タグを追加するだけで良いため、製造が容易である。
【００４６】
尚、本実施形態では、表示部２０１に表示される各種情報が時間と共に自動的に変化するため、図２の右に示す画面のＱＲコード２４も時間と共に変化することになる。これでは、デジタルカメラ１０によってＱＲコードの撮影を行うことができない。又、ユーザの希望した時点での各種情報を得ることができない。
そこで、ダイビングコンピュータ２０の切替部２０２は、検知信号が出力された場合、検知信号が出力された時点においてＱＲエンコーダ２０３によって変換して得られたＱＲコードを表示部２０１に出力するようにし、検知信号が出力されなくなるまでは、新しいＱＲコードを表示部２０１に出力しないようにする。このようにすることで、表示部２０１には、検知信号が出力された時点における各種情報を変換したＱＲコード２４が、デジタルカメラ１０とダイビングコンピュータ２０との位置が離れるまで表示され続けることになり、デジタルカメラ１０によってＱＲコードの撮影を良好に行うことができるようになる。又、ユーザが望んだタイミングにおける各種情報をデジタルカメラ１０にて受信することができるようになる。
【００４７】
尚、図２の右に示す画面のＱＲコード２４が時間と共に変化したとしても、ＱＲコード２４が変化する様子を動画撮影し、動画撮影により得られる動画像データから複数の各種情報を復元することも可能である。
【００４８】
以下、デジタルカメラ１０のユーザが、記録メディア１１２に記録されている撮影画像データに対して、各種情報を対応付ける場合のデジタルカメラ１０の動作について説明する。
【００４９】
図３は、デジタルカメラ１０の動作を説明するためのフローチャートである。ここでは、デジタルカメラ１０のユーザとダイビングコンピュータ２０のユーザとは同一とする。又、デジタルカメラ１０は、海の中でも撮影できるように、ハウジング内に収容された状態で用いる。
【００５０】
ユーザは、デジタルカメラ１０で撮影を行い、複数の撮影画像データを記録メディア１１２に記録した後、操作部１１３を操作してデジタルカメラ１０をＱＲコード撮影モードに設定し（Ｓ３１）、デジタルカメラ１０をダイビングコンピュータ２０に近づける。すると、表示部２０１の表示は図２の左から右に示すように変化する。ユーザは、表示部２０１に表示されたＱＲコード２４をデジタルカメラ１０により撮影する（Ｓ３２）。撮影が行われると、ＱＲコード２４は撮像部１０１によって読み取られ、ＱＲデコーダ１０５により各種情報が復元され（Ｓ３３）、復元された各種情報が内部メモリ１１０に記憶される。
【００５１】
次に、ユーザは、デジタルカメラ１０を再生モードに設定し（Ｓ３４）、復元した各種情報を対応付けたい撮影画像データを十字キー等のキー操作によって選択し（Ｓ３５）、選択した撮影画像データで良ければ（Ｓ３６：ＹＥＳ）、決定指示を行う。この決定指示は、例えば、操作部１１３に含まれるレリーズボタンの押下によって行う。決定指示が行われると、システム制御部１０９は、内部メモリ１１０に記憶している各種情報を、選択された撮影画像データに対応付けて記録メディア１１２に記録する（Ｓ３７）。記録が完了すると、システム制御部１０９は、記録完了の通知をユーザに対して行う。
【００５２】
撮影画像データと各種情報とを対応付けて記録する方法としては、例えば、撮影画像データを含む画像ファイルに各種情報を格納する方法、撮影画像データのＥＸＩＦヘッダ等に各種情報を書き込む方法等がある。
【００５３】
尚、決定指示が行われたときに、システム制御部１０９は、図４に示すように、選択された撮影画像データに基づく撮影画像に、内部メモリ１１０に記憶している各種情報を重ねて表示させる制御を行い、ユーザに各種情報を確認させた後、ユーザに決定又はキャンセルの指示を行わせる処理を行っても良い。又、撮影画像に重ねた各種情報は、一定時間経過後に表示させないようにしても良い。又、決定指示が行われたときに限らず、既に各種情報が対応付けて記録されている撮影画像データに関しては、それらを再生する際、図４に示したように撮影画像に各種情報を重ねて表示しても良い。
【００５４】
図５は、既に内部メモリに各種情報が記憶されている場合のデジタルカメラ１０の動作を説明するためのフローチャートである。
ユーザが、デジタルカメラ１０を撮影モードに設定し（Ｓ５１）、撮影を行うと（Ｓ５２）、撮影により得られた撮影画像データが記録メディア１１２に記録される（Ｓ５３）。システム制御部１０９は、この撮影画像データに対して各種情報を関連付けるか否かをユーザに問い合わせ、ユーザにより関連付けの指示がなされた場合（Ｓ５４：ＹＥＳ）、更に、関連付ける各種情報が、内部メモリ１１０に記憶されているもので良いか否か（各種情報の更新が必要か否か）をユーザに問い合わせる（Ｓ５５）。
【００５５】
ユーザにより各種情報の更新が不要という指示がなされた場合（Ｓ５５：ＮＯ）、システム制御部１０９は、内部メモリ１１０に記憶されている各種情報を、撮影画像データに対応付けて記録する（Ｓ５９）。一方、ユーザにより各種情報の更新が必要という指示がなされた場合（Ｓ５５：ＹＥＳ）、システム制御部１０９は、ＱＲコード撮影モードに移行し、ＱＲコードの撮影をユーザに促す。
【００５６】
ユーザは、デジタルカメラ１０をダイビングコンピュータ２０に近づけ、表示部２０１に表示されたＱＲコード２４をデジタルカメラ１０により撮影する（Ｓ５６）。撮影が行われると、ＱＲコード２４は撮像部１０１によって読み取られ、ＱＲデコーダ１０５により各種情報が復元され（Ｓ５７）、復元された各種情報が内部メモリ１１０に記憶されて、各種情報が更新される（Ｓ５８）。そして、システム制御部１０９は、内部メモリ１１０に記憶されている各種情報を、撮影画像データに対応付けて記録する（Ｓ５９）。続いて、撮影を継続する場合（Ｓ６０：ＮＯ）はＳ５２に戻り、撮影を終了する場合（Ｓ６０：ＹＥＳ）は処理を終了する。
【００５７】
図３、図５に示したように、デジタルカメラ１０によれば、撮影して得られた撮影画像データに対して、ダイビングコンピュータ２０から取得した各種情報を対応付けて記録することができるため、この各種情報を撮影画像データの管理等に役立てることができる。
【００５８】
尚、図３では、Ｓ３４，Ｓ３５において、各種情報を関連付ける撮影画像データをユーザに選択させているが、このような処理は行わずに、例えば、ユーザがデジタルカメラ１０をＱＲコード撮影モードに設定し、ＱＲコードを撮影した場合は、そのＱＲコードから得られる各種情報を、記録メディア１１２に記録されている撮影画像データのうち最新のものに対応付けて記録するようにしても良い。
【００５９】
又、図５では、撮影画像データを記録する毎に、その撮影画像データに対して各種情報を関連付けるか否かを判断しているが、このような判断を行わずに、例えば、各種情報を取得した直後に撮影した所定数の撮影画像データについては、強制的に、内部メモリ１１０に記憶されている各種情報を対応付けて記録するような処理を行っても良い。
【図面の簡単な説明】
【００６０】
【図１】本発明の実施形態を説明するための情報送受システムの概略構成を示す図
【図２】図１に示すダイビングコンピュータの表示部の表示画面の遷移状態を示す図
【図３】デジタルカメラの動作を説明するためのフローチャート
【図４】撮影画像データに基づく撮影画像に、各種情報を重ねて表示させる例を説明するための図
【図５】既に内部メモリに各種情報が記憶されている場合のデジタルカメラの動作を説明するためのフローチャート
【符号の説明】
【００６１】
１００  情報送受システム
１０  デジタルカメラ（第２の携帯端末）
１０１  撮像部（読み取り手段）
１０５  ＱＲデコーダ（情報復元手段）
１０９  システム制御部（記録手段）
１１５  無線タグ
２００  ダイビングコンピュータ（第１の携帯端末）
２０１  表示部
２０２  切替部（切替手段）
２０３  ＱＲエンコーダ（変換手段）
２０４  制御部
２０８  無線タグリーダ
【図１】
2006086926.tif 000003
【図２】
2006086926.tif 000004
【図３】
2006086926.tif 000005
【図４】
2006086926.tif 000006
【図５】
2006086926.tif 000007